(57)【要約】【課題】放射性物質の飛散および放射線の漏洩を防止しながら、腐敗する有機物が含まれている汚染廃棄物を安全に収容保管することができるシェルターバッグを提供する。【解決手段】バッグ状に形成した外袋１と、廃棄物５を充填して外袋１に収容される内袋３と、外袋１・内袋３を貫通する形で取り付けられたバルブ４とを備え、内袋３を通気および透水不能で放射線遮蔽効果を持つ硫酸バリウムを練り込んだシート材から構成しかつその開口部３ａを絞り込み結束可能に構成するとともに、バルブ４には、放射性物質吸着剤が付着された放射性物質吸着除去シート４ｃが取り付けられている。【選択図】図３
0003182144.tif 000002
【実用新案登録請求の範囲】
【請求項１】
外袋と、汚染廃棄物を充填して前記外袋に収容される内袋と、前記外袋と前記内袋とを貫通するバルブとを備え、
前記内袋は開口部を有する通気および透水不能な性質を持つと共に、放射線遮蔽効果を有する硫酸バリウムを練り込んだシート材からなり、かつ前記開口部は絞り込み結束可能に構成されており、
前記バルブは、放射性物質吸着剤が付着された放射性物質吸着除去シートが取り付けられている、
ことを特徴とするシェルターバッグ。
【請求項２】
前記バルブをネジ型にして取り付けてある、
請求項１に記載のシェルターバッグ。
【請求項３】
前記バルブに、通気可能なシート材を取り付けてある、
請求項１または２に記載のシェルターバッグ。
【請求項４】
前記バルブは、前記外袋と前記内袋との上部を貫通する形で取り付けられている、
請求項１ないし３のいずれかに記載のシェルターバッグ。
【請求項５】
前記外袋と前記内袋との間に中袋を介装してある、
請求項１ないし４のいずれかに記載のシェルターバッグ。
【考案の詳細な説明】
【技術分野】
【０００１】
本考案は、放射性物質を含む土壌、ガレキ、等各種の汚染廃棄物を収容して一時保管する場合などに生ずる問題点（生成ガスによる容器の破裂・放射性物質の飛散・放射線の漏洩など）を解決する袋状容器であるシェルターバッグに関するものである。
【背景技術】
【０００２】
この種の袋状容器としては、例えば、特許文献１に示されているように、底付き筒型に形成した胴部の上端に絞込み用の筒状投入部を連設し、廃棄物を胴部に収容した後に、筒状投入部を巾着状に絞り込んで結束するよう構成した袋状容器が知られている。
【特許文献１】特開２００９−１４３５８３号公報
【考案の概要】
【考案が解決しようとする課題】
【０００３】
上記従来の袋状容器を、放射性物質で汚染された土壌などの汚染廃棄物の収納保管に用いる場合、通気および透水不能な樹脂シートからなる内袋に汚染廃棄物を充填して袋状容器に収容し、内袋の開口端を絞り込んで結束紐で結束し、その上で、内袋の絞り込み結束箇所を封止テープ等で完全に密封することで、微細な放射性物質が絞込み箇所の隙間から外部に漏洩あるいは飛散することを防止するようにしている。
【０００４】
しかしながら、汚染廃棄物に枯葉や草などの有機物が含まれている場合、保管条件によっては、これらの有機物が袋状容器内で生物学的、あるいは、化学的に作用して発熱したり、メタンガスの発生をもたらすことがあり、密封された内袋が発生したガスによって破裂したり、発生したメタンガスが発生熱によって自然発火して火災に発展する問題がある。現在、放射性物質を含む汚染廃棄物の収容・一時保管用の袋状容器としては、紛体などの保管・貯蔵に一般的に使用されているフレコンバッグ(フレキシブルコンテナバック)と呼ばれる容器が暫定的に転用されているが、フレコンバッグでは、現実にこれらの問題が発生しており、汚染廃棄物の収容・一時保管には不適切であることが判明している。
【０００５】
本考案は、このような実情に着目してなされたものであって、放射性物質の飛散を防止し放射線漏洩を大幅に減少させながら、発生したガスの放出を可能にして、有機物が含まれている汚染廃棄物を安全に収容保管することができる袋状容器であるシェルターバッグを提供することを目的とするものである。
【課題を解決するための手段】
【０００６】
上記目的を達成するために、本考案では次のように構成している。
【０００７】
（１）本考案に係るシェルターバッグは、外袋と、汚染廃棄物を充填して前記外袋に収容される内袋と、外袋と内袋とを貫通するバルブとからなり、前記内袋は開口部を有する通気および透水不能な性質を持つと共に、放射線遮蔽効果を有する硫酸バリウムを練り込んだシート材からなり、かつ前記開口部は絞り込み結束可能に構成されており、前記バルブは、放射性物質吸着剤が付着された放射性物質吸着除去シートが取り付けられている。
【０００８】
上述の構成を備える本考案では、バルブの下部に取り付けられている放射性物質吸着除去シートは目の細かい不織布なので通気可能となり、収容された汚染廃棄物に含まれる有機物が腐敗してメタンガスが発生しても、ガスは内袋に留まることなく容易にバルブから外部に放出される。従って、発生したガスで内袋が破裂したり、内袋に充満した発生ガスが自然発火して内袋やシェルターバック本体の火災に発展するようなことはない。
【０００９】
また、不織布からなる放射性物質吸着除去シートには放射性物質吸着剤が担持されており、放射性物質（セシウム）を効率よく吸着・捕捉するのでセシウムの飛散を大幅に減少させることが出来る。また、内袋に使用されているプラスチック素材には放射線遮蔽効果を有する硫酸バリウムが練りこまれているので、放射線の外部への漏洩を大幅に減少させることが出来る。
【考案の効果】
【００１０】
このように、本考案のシェルターバッグによれば、放射性物質を含む汚染廃棄物を収納保管する場合であっても、放射性物質の飛散漏洩を防止しながら、発生したガスの放出を可能にして、有機物が含まれている汚染廃棄物を安全に収容保管することができる。
【図面の簡単な説明】
【００１１】
【図１】本考案の一実施例のシェルターバッグの斜視図である。
【図２】一実施例のシェルターバッグの縦断面図である。
【図３】一実施例のシェルターバッグにおける廃棄物の収容処理過程の概略を示す縦断面図である。
【図４】一実施例のシェルターバッグの内袋を絞込み閉塞した状態での斜視図である。
【図５】一実施例のシェルターバッグの内蓋閉じ状態での斜視図である。
【図６】一実施例のシェルターバッグの閉塞した状態での斜視図である。
【考案を実施するための形態】
【００１２】
以下、本考案の実施例を図面に基づいて説明する。図１に、本考案に係る袋状容器であるシェルターバッグＡの外観が、また図２にその縦断面図がそれぞれ示されている。このシェルターバッグＡは、上端開口部１ａが絞り込み閉塞可能に形成された外袋１と、外袋１の内部に収容装備された中袋２と、中袋２の内部に収納装備された内袋３と、外袋１と中袋２と内袋３との上部を貫通する放射性物質除去シート付きのバルブ４とを組み合わせたものとして構成されている。
【００１３】
外袋１は丈夫な織布などの紫外線耐久シート材で袋状（底付きの円筒状）に縫製され、その上部に、周方向に分割された複数枚（この例では４枚）の外蓋片１ａと、その内側に位置する１枚の内蓋片１ｂとが縫合連結されるとともに、外袋１の外面に２本の吊りバンド１ｃが縫合連結された構造となっている。そして、各外蓋片１ａの遊端辺に沿って第１の結束紐６が挿通されており、この第１の結束紐６を引き絞ることで、内蓋片１ｂを内側にして外蓋片１ａ群をコンテナ中心に向けて畳み込んで、外袋１の上端開口部１ａを閉塞するよう構成されている。
【００１４】
中袋２は、通気性および透水性のない柔軟な樹脂製の遮水フィルムからなる。廃棄物５が直接に充填される内袋３は通気性および透水性のない柔軟な樹脂製の遮水シートからなる。中袋２および内袋３は開口部２ａ、３ａを有する袋状（底付きの円筒状）に形成されている。
【００１５】
内袋３には、硫酸バリウムが練り込まれたプラスチックシートが使用されている。硫酸バリウムには放射線遮蔽効果があることが確認されているので、汚染物質から出る放射線の外部への漏洩を減少させることができる。
【００１６】
バルブ４はオスねじ型４ａとメスねじ型４ｂとシート保持キャップ４ｃとを備えている。オスねじ型４ａは、貫通孔を有する円筒形状を有しており、外袋１、中袋２、内袋３の上部を貫通する形で取り付けられている。オスねじ型４ａの底部には、シート保持キャップ４ｃが装着されており、円形シート材４ｄはシート保持キャップ４ｃとオスねじ型４ａの底部とによって挟持されている。これにより、円形シート材４ｄは、オスねじ型４ａの貫通孔を閉塞する状態で取り付けている。メスねじ型４ｂは、頂部が閉塞されたキャップ形状を有しており、このような形状を有するメスねじ型４ｂがオスねじ型４ａの頂部にねじ込む形で取り付けられている。円形シート４ｄは、織布、不織布、スポンジシートなどの通気性のあるシート状素材に、紺青（Prussian  Blue）などの放射性物質吸着剤を含浸あるいは塗布により担持した放射性物質吸収除去シートが使用されている。なお、メスねじ型４ｂとシート保持キャップ４ｃとには、複数の通気口が形成されている。
【００１７】
放射性物質吸着剤の好適な一例である紺青（Prussian Blue）の特性について、以下、説明する。紺青は、一般に青色の顔料として用いられているが、放射性物質（特にセシウム）に対する優れた吸着性能を有しており、さらには以下に説明する特性を有することから、安全性の高い放射性物質吸着剤としても知られている。
【００１８】
すなわち、紺青は、
・水に溶けない粒子であるために、毒性物質（放射性物質等）を吸着した状態になって動植物の体内に取り込まれたとしても、多くの部分は体内に吸収されることなく体外に排出される、
・水に溶けない粒子であるものの非常に細かい粒子（０．０５〜０．１ミクロン）であって土壌等に浸透しやすく、しかも浸透した状態で効率よく放射性物質を吸着するので、放射性物質を土壌等から植物にほとんど移行させない、
といった特性を有している。
【００１９】
また紺青は、
・安定した錯化合物であって毒性がなく、毒物及び劇物取締法では毒物／劇物から除外されている、
・熱分解処理、アルカリ分解処理、土壌菌による分解処理等によって容易に分解するうえ、分解物も無害物質（黄血塩,NO2,H2O,CO2,NO3-,SCN-,OCN-等）である、
といった特性を有しており、人用医薬品や家畜用飼料にも安全に使用できる。
【００２０】
以上説明した紺青の安全性は、各種の安全性試験、すなわち、急性毒性試験、亜急性毒性試験、環境毒性試験（コイ急性毒性試験,ヒメダカ急性毒性試験,ミジンコ急性遊泳阻害試験,藻類成長阻害試験等）によって立証されており、さらには、その安全性を認められて、日本化粧品用原料基準においても安全性の高い色材に認定されている。
【００２１】
シェルターバッグＡでは、このような放射性物質吸着特性と安全性とを有する紺青を担持した放射性物質吸収除去シートを円形シート４ｃとしてバルブ４の下部に取り付けている。
【００２２】
次にシェルターバッグＡを用いた放射性物質汚染廃棄物の保管方法を説明する。放射性物質で汚染された土壌等の廃棄物をシェルターバッグＡを用いて収容保管する場合、先ず、図３（ａ）に示すように、内袋３に適量の廃棄物５を充填収する。次に、図３（ｂ）に示すように、内袋３の開口部３ａと中袋２の開口部２ａとの両方を一緒に絞り込んで第２の結束紐７で結束する。次に、図３（ｃ）に示すように、内蓋１ｂを中袋２の中央部に重ねて中袋２,内袋３の絞込み箇所ｓを覆い隠すとともに、第１の結束紐６を引き絞って外蓋１ａ群を畳み込んで、外袋１の上端開口部１ａを閉塞する。
【００２３】
このようにして、汚染した廃棄物５をシェルターバッグＡに収容すると、バルブ４が通気可能なので中袋２や内袋３が袋内部で発生したガスで破裂したり、発生ガスが自然発火してシェルターバックＡの火災に発展するような事態に至ることはない。また、バルブ４から外部に抜ける空気や発生ガスに含まれるセシウム等の放射性物質はバルブ４下部に取り付けられた円形シート４ｃで吸着捕捉され、放射性物質が外部に漏洩することはない。更に、廃棄物から出る放射線は、内袋３に練り込まれた硫酸バリウムにより遮蔽され、外部への漏洩は大幅に軽減される。
【００２４】
〔他の実施例〕
本考案は、以下のような形態で実施することもできる。
【００２５】
（１）中袋２と内袋３との２枚重ね構造に限られるものではなく、材質によっては、内袋３の１枚構造とすることもできる。
【００２６】
（２）外袋１の上端開口部１ａは、必ずしも外蓋片１ａ及び内蓋片１ｂを備えたものに限られるものではなく、単に筒状に形成した上端開口部１ａを巾着状に絞込み結束して閉塞する構造のものにして実施することもできる。
【００２７】
（３）上述したバルブ４を用いた円形シート（放射性物質吸収除去シート）４ｃの装着構造を用いれば、放射能環境内作業者が着用する密封作業服に放射性物質吸収除去シートを取り付けることもできる。そうすれば、作業服外部の放射能に放射能環境内作業者を晒すことなく、密封作業服の内外を通気させることができる。
【符号の説明】
【００２８】
１              外袋
１ａ            上端開口部
２              中袋
２ａ            開口部
３              内袋
３ａ            開口部
４              バルブ
４ａ            オスねじ型
４ｂ            メスねじ型
４ｃ            シート保持キャップ
４ｄ            円形シート（放射性物質吸収除去シート）
５              廃棄物
【図１】
0003182144.tif 000003
【図２】
0003182144.tif 000004
【図３】
0003182144.tif 000005
【図４】
0003182144.tif 000006
【図５】
0003182144.tif 000007
【図６】
0003182144.tif 000008